(57)【要約】【課題】ユーザが１つの蓋を開け閉めするだけで、洗濯物の出し入れを行うことができる洗濯機を得ることを目的とする。【解決手段】脱水槽６の開口部を密閉する内蓋１１と外箱１の開口部を塞ぐ外蓋１２が一体化され、その脱水槽６の振動を吸収する振動吸収部材から為る一体蓋１０を設けるように構成した。即ち、脱水槽６の振動を吸収する振動吸収部材を用いて蓋を形成して、内蓋１１と外蓋１２を一体化できるように構成することにより、ユーザが一体蓋１０を開け閉めするだけで、洗濯物２の出し入れを行うことができるようにした。【選択図】        図１
2004261329.tif 000002
【特許請求の範囲】
【請求項１】
洗濯物が投入される洗濯槽を内包している脱水槽と、一端が上記脱水槽と接続される一方、他端が外箱と接続され、上記脱水槽の振動を吸収する振動吸収手段と、上記脱水槽の開口部を密閉する内蓋と上記外箱の開口部を塞ぐ外蓋が一体化され、上記脱水槽の振動を吸収する振動吸収部材からなる一体蓋とを備えた洗濯機。
【請求項２】
ダンパーを用いて振動吸収手段が構成されていることを特徴とする請求項１記載の洗濯機。
【請求項３】
洗濯槽に水を供給する水路と、その洗濯槽に風を供給する風路とが一体蓋に形成されていることを特徴とする請求項１記載の洗濯機。
【請求項４】
水路と風路の一部が共通化されていることを特徴とする請求項３記載の洗濯機。
【請求項５】
水路と風路を切り換えるフラップが一体蓋に形成されていることを特徴とする請求項３記載の洗濯機。
【発明の詳細な説明】
【０００１】
【発明の属する技術分野】
この発明は、脱水機能や乾燥機能を備えている洗濯機に関するものである。
【０００２】
【従来の技術】
従来の洗濯機には、脱水槽の開口部を密閉する内蓋と、外箱の開口部を塞ぐ外蓋が取り付けられている（以下の特許文献１を参照）。
【０００３】
【特許文献１】
特開２００１−１９８３８９公報（段落番号［００２９］、図６）
【０００４】
【発明が解決しようとする課題】
従来の洗濯機は以上のように構成されているので、外箱の開口部を塞ぐ外蓋の他に、脱水槽の開口部を密閉する内蓋が取り付けられている。そのため、ユーザは外蓋と内蓋を開け閉めしなければ、洗濯物の出し入れを行うことができず、面倒を強いるなどの課題があった。
【０００５】
この発明は上記のような課題を解決するためになされたもので、ユーザが１つの蓋を開け閉めするだけで、洗濯物の出し入れを行うことができる洗濯機を得ることを目的とする。
【０００６】
【課題を解決するための手段】
この発明に係る洗濯機は、脱水槽の開口部を密閉する内蓋と外箱の開口部を塞ぐ外蓋が一体化され、その脱水槽の振動を吸収する振動吸収部材からなる一体蓋を設けたものである。
【０００７】
【発明の実施の形態】
以下、この発明の実施の一形態を説明する。
実施の形態１．
図１はこの発明の実施の形態１による洗濯機（蓋開時）を示す断面図であり、図２はこの発明の実施の形態１による洗濯機（蓋閉時）を示す断面図である。図において、洗濯槽３には洗濯物２が投入され、洗剤や洗濯水が入れられる。モータ４は洗濯槽３の下部に設置された回転翼５を攪拌して洗濯物２を洗濯する。脱水槽６は洗濯槽３を内包し、洗濯時には洗濯槽３の外周に施された孔から流出する洗濯槽３の水を溜める一方、脱水時あるいは乾燥時には洗濯槽３の外周に施された孔から流出する洗濯槽３の水と空気を排出する。排気弁７は洗濯時には閉じられ、脱水時あるいは乾燥時には開けられて、脱水槽６に流出した洗濯槽３の水と空気を排気ダクト８に排出する。
【０００８】
ダンパー９は一端が脱水槽６と接続される一方、他端が外箱１と接続され、脱水槽６の振動を吸収する振動吸収手段を構成している。一体蓋１０は脱水槽６の開口部を密閉する内蓋１１と外箱１の開口部を塞ぐ外蓋１２が一体化され、その内蓋１１と外蓋１２は脱水槽６の振動を吸収する振動吸収部材から構成されている。具体的には、内蓋１１と外蓋１２を例えばゴムなどの弾性部材を用いて構成する。あるいは、内蓋１１と外蓋１２の接続部分１３を例えばゴムなどの弾性部材を用いて構成する。
【０００９】
パッキン１４は脱水槽６の開口部を密閉するための部材であり、水路／風路接続部１５は一体蓋１０が閉じられたとき、水路又は風路を形成する。給水口１６は水路／風路接続部１５により水路が形成されたとき、上水道から送られる水を洗濯槽３に給水する。送風口１７は水路／風路接続部１５により風路が形成されたとき、ファンヒータ１９から送られる温風を洗濯槽３に送風する。洗剤ケース１８は洗濯時に洗剤を収納する。ファンヒータ１９は乾燥時等に温風を送風する。水路／風路切換弁２０は洗濯時には上水道側の水路を開き、乾燥時等にはファンヒータ１９側の風路を開くように切り換えられる。なお、一体蓋１０における水路と風路は共通化されている。
【００１０】
次に動作について説明する。
まず、一体蓋１０は、内蓋１１と外蓋１２が一体化されているので、ユーザが一体蓋１０を開けると、図１に示すように、外箱１の開口部だけでなく、脱水槽６の開口部も同時に開いた状態になる。
次に、ユーザが一体蓋１０を閉じると、図２に示すように、外箱１の開口部だけでなく、脱水槽６の開口部も同時に閉じた状態になる。
【００１１】
ユーザが一体蓋１０を閉じて洗濯を開始させると、図２（ａ）に示すように、水路／風路切換弁２０がファンヒータ１９側の風路を閉じて上水道側の水路を開くため、一体蓋１０には水路が形成され、上水道から送られる水が給水口１６から洗濯槽３に給水される。なお、一体蓋１０の内部に取り付けられているフラップ２１は、給水時においては、図３（ａ）に示す位置に移動するため、送風口１７から水が流れることはない。
洗濯槽３に十分な量の水が給水されると、モータ４が洗濯槽３の下部に設置された回転翼５を攪拌して洗濯物２の洗濯を開始する。このとき、洗濯槽３の外周に施された孔から洗濯槽３の水が脱水槽６に流出するが、排気弁７は閉じられているので、その水は排気ダクト８から排出されることはなく、脱水槽６に溜められる。
【００１２】
その後、洗濯が終了して、洗濯物の脱水あるいは乾燥を行う際には、図２（ｂ）に示すように、水路／風路切換弁２０が上水道側の水路を閉じてファンヒータ１９側の風路を開くため、一体蓋１０には風路が形成され、ファンヒータ１９から送られる温風が送風口１７から洗濯槽３に送風される。なお、一体蓋１０の内部に取り付けられているフラップ２１は、乾燥時等においては、図３（ｂ）に示す位置に移動するため、給水口１６から温風が送風されることはない。
【００１３】
洗濯物の脱水時あるいは乾燥時においては、図２（ｂ）及び図３（ｂ）に示す経路で温風が送風されるが、洗濯物２の重量が重い場合には、脱水槽６に大きな揺れが発生する。
この実施の形態１における洗濯機では、脱水槽６と外箱１の間に接続されているダンパー９が脱水槽６の下部の揺れを吸収するようにしている。
一方、脱水槽６の上部の揺れは、振動吸収部材から構成されている一体蓋１０が吸収するようにしている。
なお、脱水槽６の揺れに伴って、脱水槽６が大きく沈み込むような現象が発生すると、槽高検知センサー２２がこれを検知して、脱水や乾燥運転を一時停止するように制御する。その後、例えば、ユーザの指示で脱水や乾燥運転を再開させても、何度か槽高検知センサー２２が上記現象を検知して、脱水や乾燥運転を一時停止させると、警報を発生し、ユーザが運転を一旦リセットしない限り、運転の再開を行えように制御する。
【００１４】
以上で明らかなように、この実施の形態１によれば、脱水槽６の開口部を密閉する内蓋１１と外箱１の開口部を塞ぐ外蓋１２が一体化され、その脱水槽６の振動を吸収する振動吸収部材からなる一体蓋１０を設けるように構成したので、一体蓋１０を開け閉めするだけで、洗濯物２の出し入れを行うことができる効果を奏する。
換言すると、脱水槽６の振動を吸収する振動吸収部材を用いて蓋を形成するように構成したので、従来のように、脱水槽６の開口部を密閉する内蓋と、外箱１の開口部を塞ぐ外蓋とを別体にせず、内蓋１１と外蓋１２を一体化することができる。
【００１５】
また、この実施の形態１によれば、ダンパー９を用いて振動吸収手段を構成したので、複雑な機構を用いることなく、脱水槽６の下部の揺れを吸収することができる効果を奏する。
また、この実施の形態１によれば、洗濯槽３に水を供給する水路と、その洗濯槽３に風を供給する風路とを一体蓋１０に形成し、その水路と風路の一部を共通化するように構成したので、構成が簡単になり、製造の容易化を図ることができる効果を奏する。
さらに、この実施の形態１によれば、水路と風路を切り換えるフラップ２１を一体蓋１０に形成するように構成したので、例えば、温風を洗濯槽３の周りから送風することができるようになり、その結果、洗濯物２の乾きを均一化させることができる効果を奏する。
【００１６】
実施の形態２．
上記実施の形態１では、ダンパー９を用いて振動吸収手段を構成するものについて示したが、脱水槽６の振動を吸収することができるものであれば、これに限るものではなく、例えば、脱水槽６と外箱にそれぞれ磁石を取り付け、双方の磁石の反発力を利用して脱水槽６の振動を吸収するようにしてもよい。
また、上記実施の形態１では、ダンパー９の形式については特に言及していないが、油圧式でも空気圧式でもよく、また、機械的なバネを用いてもよい。
【００１７】
【発明の効果】
以上のように、この発明によれば、脱水槽の開口部を密閉する内蓋と外箱の開口部を塞ぐ外蓋が一体化され、その脱水槽の振動を吸収する振動吸収部材からなる一体蓋を設けるように構成したので、一体蓋を開け閉めするだけで、洗濯物の出し入れを行うことができる効果がある。
【図面の簡単な説明】
【図１】この発明の実施の形態１による洗濯機（蓋開時）を示す断面図である。
【図２】この発明の実施の形態１による洗濯機（蓋閉時）を示す断面図である。
【図３】一体蓋における水と風の流れを示す説明図である。
【符号の説明】
１  外箱、２  洗濯物、３  洗濯槽、４  モータ、５  回転翼、６  脱水槽、７  排気弁、８  排気ダクト、９  ダンパー（振動吸収手段）、１０  一体蓋、１１  内蓋、１２  外蓋、１３  接続部分、１４  パッキン、１５  水路／風路接続部、１６  給水口、１７  送風口、１８  洗剤ケース、１９  ファンヒータ、２０  水路／風路切換弁、２１  フラップ、２２  槽高検知センサー。
【図１】
2004261329.tif 000003
【図２】
2004261329.tif 000004
【図３】
2004261329.tif 000005